(57)【要約】【課題】民放テレビ番組はＣＭが挿入されて放送されるが、同じ音量であってもＣＭ放送は冷却ファンの騒音が比較的気にならない。従来は、放送内容によって騒音が気になる程度が異なることを考慮しておらず、比較的騒音が気にならないＣＭ放送でも冷却ファンの回転速度を低下させていたので番組視聴中の回転を十分落とすことができなかった。【解決手段】チューナ3、セレクタ4、復調回路5、液晶表示装置7、音声処理回路10、音量制御回路11、スピーカ12、マイコン13、バックライト調節回路14、記憶手段15、温度検出手段16、ユーザ操作信号入力部18、冷却ファン19を備え、アンテナ2が接続されリモコン17により操作されるテレビ受像装置1は、ＣＭ放送を番組放送から分けて検出し、ＣＭが検出されたら冷却ファン19の回転速度を上げ、番組放送中は冷却ファン19の回転速度を下げ、冷却ファンの騒音が気にならないようにする。【選択図】図１
2006311399.tif 000002
【特許請求の範囲】
【請求項１】
放送電波を受信し放送番組の映像と音声を再生するテレビ受像装置において、
内部を冷却する冷却ファンと、
ＣＭ放送が受信されたことを検出するＣＭ検出手段と、
前記ＣＭ検出手段の検出結果に応じて前記冷却ファンの回転速度を調節する調節手段を備えたことを特徴とするテレビ受像装置。
【請求項２】
内部の温度を検出する温度検出手段を備え、
前記調節手段は、前記ＣＭ検出手段の検出結果と前記温度検出手段の検出結果に応じて前記冷却ファンの回転速度を調節することを特徴とする請求項１に記載のテレビ受像装置。
【請求項３】
音量設定の状態を検出する音量検出手段を備え、
前記調節手段は、前記ＣＭ検出手段の検出結果、前記温度検出手段の検出結果、及び前記音量検出手段の検出結果に応じて前記冷却ファンの回転速度を調節することを特徴とする請求項２に記載のテレビ受像装置。
【請求項４】
前記調節手段は、前記音量検出手段により検出された音量設定が所定の音量設定より小さいとき前記冷却ファンの回転速度を通常より低下させることを特徴とする請求項３に記載のテレビ受像装置。
【請求項５】
前記調節手段は、前記温度検出手段による検出温度が所定温度より低いとき前記冷却ファンの回転速度を通常より低下させることを特徴とする請求項２乃至請求項４のいずれか一項に記載のテレビ受像装置。
【請求項６】
前記調節手段は、前記ＣＭ検出手段がＣＭ放送を検出していないとき前記冷却ファンの回転速度を通常以下に低下させることを特徴とする請求項１乃至請求項５のいずれか一項に記載のテレビ受像装置。
【請求項７】
前記調節手段は、前記ＣＭ検出手段がＣＭ放送を検出したとき前記冷却ファンの回転速度を通常より増加させることを特徴とする請求項１乃至請求項５のいずれか一項に記載のテレビ受像装置。
【請求項８】
前記冷却ファンの回転設定速度を番組放送とＣＭ放送に対応して記憶した記憶手段を備え、
前記調節手段は、前記ＣＭ検出手段によりＣＭ放送が検出されたとき前記冷却ファンを前記記憶手段に記憶された前記ＣＭ放送に対応した回転設定速度に設定することを特徴とする請求項１乃至請求項５、及び請求項７のいずれか一項に記載のテレビ受像装置。
【請求項９】
前記調節手段は、前記ＣＭ検出手段によりＣＭ放送が検出されないとき前記冷却ファンを前記記憶手段に記憶された前記番組放送に対応した回転設定速度に設定することを特徴とする請求項１乃至請求項６のいずれか一項に記載のテレビ受像装置。
【請求項１０】
バックライトの明るさを調節できる液晶表示装置を備え、
前記調節手段は、前記ＣＭ検出手段がＣＭ放送を検出したとき前記バックライトの明るさを通常より暗くなるように調節することを特徴とする請求項１乃至請求項９のいずれか一項に記載のテレビ受像装置。
【請求項１１】
放送電波を受信し放送番組の映像と音声を再生するテレビ受像装置において、
内部を冷却する冷却ファンと、
内部の温度を検出する温度検出手段と、
ＣＭ放送が受信されたことを検出するＣＭ検出手段と、
音量設定の状態を検出する音量検出手段を備え、
前記温度検出手段の検出結果、前記ＣＭ検出手段の検出結果、及び前記音量検出手段の検出結果に応じて前記冷却ファンの回転速度を調節する調節手段を備えたことを特徴とするテレビ受像装置。
【請求項１２】
バックライトの明るさを調節できる液晶表示装置を備え、
前記調節手段は、前記温度検出手段が温度高域を検出し、前記ＣＭ検出手段がＣＭを検出せず、前記音量検出手段が音量小を検出したとき前記バックライトの明るさを暗くなるように調節することを特徴とする請求項１１に記載のテレビ受像装置。
【請求項１３】
放送電波を受信し放送番組の映像と音声を再生する冷却ファンを備えたテレビ受像装置の冷却ファン回転速度調節方法において、
前記冷却ファンの回転速度を番組放送とＣＭ放送に対応して予め記憶し、
ＣＭ放送が検出されたとき前記冷却ファンの回転速度を前記ＣＭ放送に対応して予め記憶した回転速度に設定し、ＣＭ放送が検出されないとき前記番組放送に対応して予め記憶した回転速度に設定することを特徴とするテレビ受像装置の冷却ファン回転速度調節方法。
【発明の詳細な説明】
【技術分野】
【０００１】
本発明はテレビ受像装置に係り、特に冷却ファンの騒音低減とテレビ受像装置の冷却を効果的に行うことのできるテレビ受像装置に関する。
【背景技術】
【０００２】
従来のテレビ受像装置は、装置内部に冷却ファンを備え、この冷却ファンにより装置内部で発生した熱を外部に放出して過熱を防ぎ、装置内部の素子を保護するようになっている。しかし、冷却ファンはテレビ受像装置を冷却するのに必要ではあるが、同時に騒音も発生する。
【０００３】
一般にファンモータは一定の回転速度で駆動されるものが多いが、冷却ファンは回転が低速になると低騒音になる性質がある。したがって、騒音を低減するため、音量に合わせてファンモータの回転速度を制御するものも提案されている。例えば特開２００３−３３０７８号公報（特許文献１）、特開２００４−２３３４６３号公報（特許文献２）には音声出力に比例してファンモータの回転速度を制御するものが提案されている。また、特開２００３−２２４９９０号公報（特許文献３）、特開２００４−１２０２６８号公報（特許文献４）では音量調節手段の設定量に応じてファンモータの回転速度を制御するものが提案されている。
【０００４】
上記従来技術によれば、音声が大きいときは冷却ファンの騒音が気にならないことが多いので冷却ファンを通常の回転速度とし、音声が小さいときは冷却ファンの騒音が気になることが多いので低速して低騒音化を図ることができる。
【特許文献１】特開２００３−３３０７８号公報
【特許文献２】特開２００４−２３３４６３号公報
【特許文献３】特開２００３−２２４９９０号公報
【特許文献４】特開２００４−１２０２６８号公報
【発明の開示】
【発明が解決しようとする課題】
【０００５】
ところで、テレビ受像装置では、通常、民間放送の場合、受信される番組の途中にＣＭが挿入される。一般に同じ音量であっても番組視聴中は冷却ファンの騒音が比較的気になり、ＣＭ中は比較的気にならないことが多い。
【０００６】
上記従来技術では、音量によって冷却ファンの騒音を低減するようにはなっているが、放送内容によって騒音が気になる程度が異なることを考慮していないので、比較的騒音が気にならないＣＭ（コマーシャル）放送でも音量が小さいとき冷却ファンの回転速度を低下させて冷却能力を落としているという問題がある。また、テレビ受像装置内部の温度上昇は、必ずしも音声出力と比例するものではないため、冷却ファンの回転を十分に下げることができず、騒音を抑えられない場合があった。
【０００７】
本発明の目的は、上記従来技術の問題に鑑み、番組の騒音が気になる程度によって冷却ファンの回転速度を制御し、冷却ファンの騒音が気にならないようしたテレビ受像装置を提供することにある。また、本発明の他の目的は、テレビ受像装置を効果的に冷却するとともに省電力化を図ることにある。
【課題を解決するための手段】
【０００８】
本発明の請求項１に係る発明の要旨は、放送電波を受信し放送番組の映像と音声を再生するテレビ受像装置において、内部を冷却する冷却ファンと、ＣＭ放送が受信されたことを検出するＣＭ検出手段と、前記ＣＭ検出手段の検出結果に応じて前記冷却ファンの回転速度を調節する調節手段を備えたことを特徴とするテレビ受像装置に存する。
また、本発明の請求項２に係る発明の要旨は、内部の温度を検出する温度検出手段を備え、前記調節手段は、前記ＣＭ検出手段の検出結果と前記温度検出手段の検出結果に応じて前記冷却ファンの回転速度を調節することを特徴とする請求項１に記載のテレビ受像装置に存する。
また、本発明の請求項３に係る発明の要旨は、音量設定の状態を検出する音量検出手段を備え、前記調節手段は、前記ＣＭ検出手段の検出結果、前記温度検出手段の検出結果、及び前記音量検出手段の検出結果に応じて前記冷却ファンの回転速度を調節することを特徴とする請求項２に記載のテレビ受像装置に存する。
また、本発明の請求項４に係る発明の要旨は、前記調節手段は、前記音量検出手段により検出された音量設定が所定の音量設定より小さいとき前記冷却ファンの回転速度を通常より低下させることを特徴とする請求項３に記載のテレビ受像装置に存する。
また、本発明の請求項５に係る発明の要旨は、前記調節手段は、前記温度検出手段による検出温度が所定温度より低いとき前記冷却ファンの回転速度を通常より低下させることを特徴とする請求項２乃至請求項４のいずれか一項に記載のテレビ受像装置に存する。
また、本発明の請求項６に係る発明の要旨は、前記調節手段は、前記ＣＭ検出手段がＣＭ放送を検出していないとき前記冷却ファンの回転速度を通常以下に低下させることを特徴とする請求項１乃至請求項５のいずれか一項に記載のテレビ受像装置に存する。
また、本発明の請求項７に係る発明の要旨は、前記調節手段は、前記ＣＭ検出手段がＣＭ放送を検出したとき前記冷却ファンの回転速度を通常より増加させることを特徴とする請求項１乃至請求項５のいずれか一項に記載のテレビ受像装置に存する。
また、本発明の請求項８に係る発明の要旨は、前記冷却ファンの回転設定速度を番組放送とＣＭ放送に対応して記憶した記憶手段を備え、前記調節手段は、前記ＣＭ検出手段によりＣＭ放送が検出されたとき前記冷却ファンを前記記憶手段に記憶された前記ＣＭ放送に対応した回転設定速度に設定することを特徴とする請求項１乃至請求項５、及び請求項７のいずれか一項に記載のテレビ受像装置に存する。
また、本発明の請求項９に係る発明の要旨は、前記調節手段は、前記ＣＭ検出手段によりＣＭ放送が検出されないとき前記冷却ファンを前記記憶手段に記憶された前記番組放送に対応した回転設定速度に設定することを特徴とする請求項１乃至請求項６のいずれか一項に記載のテレビ受像装置に存する。
また、本発明の請求項１０に係る発明の要旨は、バックライトの明るさを調節できる液晶表示装置を備え、前記調節手段は、前記ＣＭ検出手段がＣＭ放送を検出したとき前記バックライトの明るさを通常より暗くなるように調節することを特徴とする請求項１乃至請求項９のいずれか一項に記載のテレビ受像装置に存する。
また、本発明の請求項１１に係る発明の要旨は、放送電波を受信し放送番組の映像と音声を再生するテレビ受像装置において、内部を冷却する冷却ファンと、内部の温度を検出する温度検出手段と、ＣＭ放送が受信されたことを検出するＣＭ検出手段と、音量設定の状態を検出する音量検出手段を備え、前記温度検出手段の検出結果、前記ＣＭ検出手段の検出結果、及び前記音量検出手段の検出結果に応じて前記冷却ファンの回転速度を調節する調節手段を備えたことを特徴とするテレビ受像装置に存する。
また、本発明の請求項１２に係る発明の要旨は、バックライトの明るさを調節できる液晶表示装置を備え、前記調節手段は、前記温度検出手段が温度高域を検出し、前記ＣＭ検出手段がＣＭを検出せず、前記音量検出手段が音量小を検出したとき前記バックライトの明るさを暗くなるように調節することを特徴とする請求項１１に記載のテレビ受像装置に存する。
また、本発明の請求項１３に係る発明の要旨は、放送電波を受信し放送番組の映像と音声を再生する冷却ファンを備えたテレビ受像装置の冷却ファン回転速度調節方法において、前記冷却ファンの回転速度を番組放送とＣＭ放送に対応して予め記憶し、ＣＭ放送が検出されたとき前記冷却ファンの回転速度を前記ＣＭ放送に対応して予め記憶した回転速度に設定し、ＣＭ放送が検出されないとき前記番組放送に対応して予め記憶した回転速度に設定することを特徴とするテレビ受像装置の冷却ファン回転速度調節方法に存する。
【発明の効果】
【０００９】
本発明によれば、冷却ファンの騒音が比較的気になる番組放送中に冷却ファンの回転速度を低下させることができるので、冷却ファンの騒音が気にならないテレビ受像装置を提供できる効果がある。
【００１０】
また、本発明によれば、ＣＭ放送中は冷却ファンの回転速度を増加して冷却能力を増加し、番組放送中は冷却ファンの回転速度を低下させることにより、冷却ファンの冷却能力を平均して確保でき、番組放送中に冷却ファンの回転速度を下げても装置の過熱を防止することができる。
【００１１】
また、本発明によれば、冷却ファンの回転速度と液晶表示装置のバックライトの明るさが視聴状態及び温度状態に応じて最適に調節されるので、消費電力が下がり省電力を実現できる効果がある。
【発明を実施するための最良の形態】
【００１２】
次に、本発明を実施するための最良の形態を、図面を参照して具体的に説明する。
図１は、本発明の第１の実施の形態における具体的なテレビ受像装置の構成図である。
【００１３】
図１において、１は放送番組を受信して再生するテレビ受像装置であり、このテレビ受像装置１全体がマイクロコントローラ（以下マイコンという）１３により制御されている。
【００１４】
２は放送電波を受信するアンテナ、３はチューナであり所望のチャンネルを選局してその信号を出力する。チューナ３には地上波デジタル放送用チューナ、ＢＳデジタル放送用チューナ、ＣＳデジタル放送用チューナなどが備わっている。チューナ３はマイコン１３の指令によりユーザの所望する番組を選局して受信する。
【００１５】
また、４はセレクタであり、地上波デジタル放送用チューナ、ＢＳデジタル放送用チューナ、ＣＳデジタル放送用チューナなどから出力された信号を切り替えて出力する。セレクタ４はマイコン１３の切り替え指令により地上波デジタル放送用チューナの出力信号、ＢＳデジタル放送用チューナの出力信号、ＣＳデジタル放送用チューナの出力信号のいずれかを選択するようになっている。また、セレクタ４にはＤＶＤやビデオ装置などの外部機器を接続してこれらの信号をセレクトできるようにしても良い。
【００１６】
１８はユーザ操作信号入力部であり、テレビ受像装置１を遠隔操作するリモートコントローラ（以下リモコンという）１７からの赤外線による信号を受信するリモコン受信部などからなる。テレビ受像装置１はユーザ操作信号入力部１８から入力したリモコン１７の操作信号をテレビ受像装置１全体を制御するマイコン１３に送り、この信号を受け取ったマイコン１３は、チャンネル切り替えや、番組予約など各種メニュー操作を実行する。
【００１７】
なお、アンテナ２、チューナ３は、地上波デジタル放送、ＢＳデジタル放送、ＣＳデジタル放送で異なるものを複数必要とする場合も、アンテナ２、チューナ３として簡易に図示してある。
【００１８】
セレクタ４から出力されたデジタル映像信号は、復調回路５に入力され、受信信号はここで復調される。また、復調回路５にはＥＰＧデコーダやＣＭ検出手段が含まれている。
放送電波から受信されたＥＰＧ（電子番組ガイド）情報は、このＥＰＧデコーダでＥＰＧデータにデコードされ、マイコン１３を介して記憶手段１５に記憶される。このＥＰＧデータには放送番組開始時間、放送番組終了時間、番組のジャンル、番組のサブジャンル、視聴者年齢制限情報、検索キーワード情報、番組登場人物の名前などのデータが含まれている。
【００１９】
また、ＣＭ検出手段はＣＭを受信したときにＣＭが受信されていることを検出してマイコン１３に検出信号を出力する。ＣＭを検出するには特開平３−２６２２８７号公報、特開平１０−６５９８８号公報、特開２００２−７７７７０号公報などに記載されている音声モードがモノラル放送モードや二ヶ国語放送モードから音声多重のステレオ放送モードになったことを検出する方法により実施することができる。ＣＭを判別するにはこれに限らず、特開２００２−２４７５１６号公報、特開２０００−１１５７１２号公報などで提案されている音声データに０．５秒程度の無音期間が存在するかどうかを検出してＣＭが受信されていることを検出する方法、特開２００２−０４４６８９号公報などに記載されているＣＭコードが受信されていることを検出してＣＭを検出する方法によっても実施することができる。
【００２０】
また、記憶手段１５には、コンテンツ（番組、ＣＭ）、音量（大、小）によって区分された調節すべき冷却ファン１９の回転速度の設定用データ、コンテンツ（番組、ＣＭ）、音量（大、小）によって区分された調節すべきバックライト（Ｂ／Ｌ）の明るさの設定用データが記憶されている。記憶手段１５はＲＡＭ、ＲＯＭ，書き換え可能ＲＯＭなどからなる。
【００２１】
復調回路５から出力されたデジタル映像信号は、映像処理回路６に入力される。映像処理回路６はインターレスとプログレッシブの変換やＲ（赤）、Ｇ（緑）、Ｂ（青）信号を生成するプロセッサを有している。映像処理回路６から出力されたデジタル映像信号は、液晶表示装置７に入力され、選局された放送番組などが画面に表示される。液晶表示装置７には液晶部（ＬＣＤ）８と明るさが調整できるバックライト（Ｂ／Ｌ）９が備わっている。
【００２２】
また、復調回路５から出力された音声信号は、音声処理回路１０に入力され、その出力側に設けられた音量制御回路１１により音声信号の大きさが調整される。音量制御回路１１の出力はスピーカ１２に入力され音声や音響として出力される。また、音量制御回路１１に備わる音量検出手段から音量に応じた検出信号がマイコン１３に出力されている。この音量検出手段による音量検出は、音声信号レベルを検出するようにしてもよく、あるいは音量ボリュームの回転位置を検出してもよく、あるいは音量選択ボタンの押下状態を検出してもよい。
【００２３】
また、本実施の形態のテレビ受像装置１は、テレビ受像装置１内部の温度を検出する温度検出手段１６、テレビ受像装置１を冷却する冷却ファン１９、液晶表示装置７のバックライト（Ｂ／Ｌ）９の明るさを調節するバックライト調節回路１４がマイコン１３に接続されている。バックライト調節回路１４はインバータなどで構成されており、マイコン１３の指令によりバックライト（Ｂ／Ｌ）９の明るさを調整する。
【００２４】
図２乃至図４は本実施の形態による冷却ファン１９の回転速度とバックライト（Ｂ／Ｌ）９の明るさを、温度（低域、中域、高域）、コンテンツ（番組、ＣＭ）、及び音量（大、小）によってどのように制御するかを示したルックアップテーブルである。なお、温度の低域、中域、高域の区分はテレビ受像装置１の使用温度範囲で任意に区分して設定する。例えば使用温度範囲を３等分すればよい。
【００２５】
図２のルックアップテーブルＬＵＴ１を参照すると、ルックアップテーブルＬＵＴ１は温度が低域の場合を示している。図２において、コンテンツ、音量に拘わらず冷却ファン１９の回転速度は停止するように制御される。また、図２において、バックライト（Ｂ／Ｌ）９の明るさは番組放送中には通常の明るさとしＣＭ放送中には通常より暗くなるように制御される（下向きの矢印は、通常より暗くすることを意味している）。
【００２６】
図３のルックアップテーブルＬＵＴ２を参照すると、ルックアップテーブルＬＵＴ２は温度が中域の場合を示している。図３において、冷却ファン１９の回転速度はコンテンツが「ＣＭ」のとき冷却ファン１９の回転速度は高速になるように制御される。コンテンツが「番組」で音量が「大」のとき冷却ファン１９の回転速度は通常より低速になるように制御される。コンテンツが「番組」で音量が「小」のとき冷却ファン１９の回転速度は上記低速より更に下げるように制御される（下向きの矢印は上記低速より更に回転速度を下げることを意味している）。
また、図３において、ＣＭ放送中にバックライト（Ｂ／Ｌ）９の明るさは通常より暗くなるように制御され、番組放送中のときバックライト（Ｂ／Ｌ）９の明るさは通常の明るさになるように制御される。
【００２７】
図４のルックアップテーブルＬＵＴ３を参照すると、ルックアップテーブルＬＵＴ３は温度が高域の場合を示している。図４において、コンテンツが「ＣＭ」で、音量が「小」のとき冷却ファン１９の回転速度は高速になるように制御される。また、コンテンツが「ＣＭ」で、音量が「大」のとき冷却ファン１９の回転速度は高速状態から更に増速される（上向きの矢印は、高速状態より許容値内で更に回転速度を上げることを意味している）。また、コンテンツが「番組」で、音量が「大」のとき冷却ファン１９の回転速度は通常の速度になるように制御される。また、コンテンツが「番組」で、音量が「小」のとき冷却ファン１９の回転速度は通常の速度より減速される（下向きの矢印は、通常の速度より回転速度を下げることを意味している）。
また、図４において、ＣＭ放送中にバックライト（Ｂ／Ｌ）９の明るさは通常より暗くなるように制御される。また、コンテンツが「番組」で音量が「大」のときバックライト（Ｂ／Ｌ）９の明るさは通常の明るさとなるように制御される。また、コンテンツが「番組」で音量が「小」のときバックライト（Ｂ／Ｌ）９の明るさは通常より暗くなるように制御される。
なお、上記ルックアップテーブルＬＵＴ１〜ＬＵＴ３における”低速”、”高速”の回転速度設定値は冷却ファン１９の冷却能力が平均的に確保できるように選定する。
【００２８】
図２乃至図４に示した本実施の形態の制御によれば、検出温度が低域のとき冷却ファン１９の回転を停止し、検出温度が中、高域の場合で、コンテンツが「番組」、音量が「小」のとき、冷却ファン１９の回転速度を下げるように制御するので、番組放送中に低騒音化が実現できると同時に、消費電力が下がり省電力を実現できる。
また、検出温度が高域の場合でコンテンツが「番組」、音量が「小」のとき、及びＣＭ放送中にはバックライト（Ｂ／Ｌ）９の明るさを暗くし、消費電力を下げるようにしたので、テレビ受像装置１の温度上昇を防止することができる効果があると同時に、バックライト（Ｂ／Ｌ）９の消費電力を小さくでき、更なる省電力の効果がある。
また、検出温度が高域の場合で、コンテンツが「ＣＭ」、音量が「大」のとき、冷却ファン１９の回転速度を高速より更に上げるように制御するので、騒音が気にならない範囲で冷却ファン１９の冷却能力を向上でき、テレビ受像装置１の温度上昇を防止することができる効果がある。
【００２９】
因みに、本発明との比較を示すために従来の制御方法の例を示すと、図６、図７のように番組とＣＭの放送に応じて制御は行われていない。検出温度が低域の場合、従来技術では図６のように、冷却ファンの回転は停止され、バックライト（Ｂ／Ｌ）９の明るさは通常状態となる。図７に示した検出温度が中、高域の場合、従来技術では、騒音が気にならないＣＭ放送中でも冷却ファン１９の回転速度を通常以下に下げるようにしているので、必要以上に冷却ファンの冷却能力を低下させてしまっている。したがってテレビ受像装置１の温度が高くなり易いという問題がある。また、冷却ファン１９の回転速度が低下して冷却能力が低下したときバックライト（Ｂ／Ｌ）９の明るさ制御をしていないので、本実施の形態に比べると更に温度が高くなる問題がある。
【００３０】
これに対し、本実施の形態によれば、冷却ファンの騒音が比較的気になる番組放送中に冷却ファン１９の回転速度を低下させることができるので、冷却ファン１９の騒音が気にならない。また、ＣＭ放送中は冷却ファン１９の回転速度を増加して冷却能力を増加し、番組放送中は冷却ファン１９の回転速度を低下させることにより、冷却ファン１９の冷却能力を平均して確保でき、番組放送中に冷却ファン１９の回転速度を下げてもテレビ受像装置１の過熱を防止することができる。また、冷却ファン１９の回転速度と液晶表示装置７のバックライト（Ｂ／Ｌ）９の明るさが視聴状態及び温度状態に応じて最適に調節されるので、消費電力が下がり省電力を実現できる。
【００３１】
次に図５を参照して本実施の形態の動作フローを説明する。
まず、ステップＳ１において番組視聴が開始される。
次に、ステップＳ２において受信されているものがＣＭかどうか復調回路５に備わるＣＭ検出手段の出力状態をマイコン１３が読み込んでチェックする。
【００３２】
ステップＳ２においてＣＭが検出されたとき（ＹＥＳのとき）、ステップＳ３に進み、音量制御回路１１に備わる音量検出手段からの出力をマイコン１３が読み取り、音量情報を取得する。
【００３３】
次に、ステップＳ４に進み、テレビ受像装置１内部の温度を検出する温度検出手段１６からの出力をマイコン１３が読み取り、温度情報を取得する。
【００３４】
次に、ステップＳ５に進み、音量制御回路１１からの音量に応じた信号と、温度検出手段１６からの検出温度情報をもとに、図２乃至図４に示したルックアップテーブルＬＵＴ１〜ＬＵＴ３のＣＭ欄を参照する。
【００３５】
次に、ステップＳ６に進み、ルックアップテーブルＬＵＴ１〜ＬＵＴ３を参照した結果により、記憶手段１５に記憶された対応する冷却ファン回転速度とバックライト明るさの設定用データを選択決定する。
【００３６】
次に、ステップＳ７に進み、上記選択決定された冷却ファン回転速度の設定用データとバックライト明るさの設定用データが、マイコン１３により、冷却ファン１９の回転数設定用レジスタ、バックライト調節回路１４のバックライト明るさ設定用レジスタにそれぞれ設定され、冷却ファン１９の回転速度、バックライト（Ｂ／Ｌ）９の明るさが制御される。
【００３７】
ステップＳ２においてＣＭが検出されなかったとき（ＮＯのとき）、ステップＳ８に進み、音量制御回路１１に備わる音量検出手段からの出力をマイコン１３が読み取り、音量情報を取得する。
【００３８】
次に、ステップＳ９に進み、テレビ受像装置１内部の温度を検出する温度検出手段１６からの出力をマイコン１３が読み取り、温度情報を取得する。
【００３９】
次に、ステップＳ１０に進み、音量制御回路１１からの音量に応じた信号と、温度検出手段１６からの検出温度情報をもとに、図２乃至図４に示したルックアップテーブルＬＵＴ１〜ＬＵＴ３の番組欄を参照する。
【００４０】
次に、ステップＳ１１に進み、ルックアップテーブルＬＵＴ１〜ＬＵＴ３を参照した結果により、記憶手段１５に記憶された対応する冷却ファン回転速度とバックライト明るさの設定用データを選択決定する。
【００４１】
次に、ステップＳ１２に進み、上記選択決定された冷却ファン回転速度の設定用データとバックライト明るさの設定用データが、マイコン１３により、冷却ファン１９の回転数設定用レジスタ、バックライト調節回路１４のバックライト明るさ設定用レジスタにそれぞれ設定され、冷却ファン１９の回転速度、バックライト（Ｂ／Ｌ）９の明るさが制御される。
【００４２】
以上、本実施の形態によれば、冷却ファンの騒音が比較的気になる番組放送中に冷却ファンの回転速度を低下させることができるので、冷却ファンの騒音が気にならないテレビ受像装置を提供できる効果がある。
また、本実施の形態によれば、ＣＭ放送中は冷却ファンの回転速度を増加して冷却能力を増加し、番組放送中は冷却ファンの回転速度を低下させることにより、冷却ファンの冷却能力を平均して確保でき、番組放送中に冷却ファンの回転速度を下げても装置の過熱を防止できる効果がある。
また、本実施の形態によれば、冷却ファンの回転速度と液晶表示装置のバックライトの明るさが視聴状態及び温度状態に応じて最適に調節されるので、消費電力が下がり省電力を実現できる効果がある。
【００４３】
（その他の実施の形態）
以上、本発明を具体的な実施の形態によって説明したが、本発明は、番組放送中かＣＭ放送中かによって冷却ファンの回転速度を調整することを大きな特徴とするので、次のような実施の形態も考えられる。
【００４４】
（１）  番組放送中かＣＭ放送中かによってバックライト９の明るさを調節しないで冷却ファン１９の回転速度のみ調整するようにすることができる。このときの図５の動作フローは、ステップＳ５〜Ｓ７、Ｓ１０〜Ｓ１２は冷却ファン１９のみの制御となる。この場合、本発明は、テレビ受像装置１の映像表示部は液晶表示装置７に限らずＣＲＴやプラズマディスプレイなどを使用したものにも適用できる。
【００４５】
（２）  また、音量制御回路１１からの音量データに依存しないで、番組放送中かＣＭ放送中かによって冷却ファン１９の回転速度、あるいは冷却ファン１９の回転速度とバックライト９の明るさの両方を調整することもできる。この場合図５の動作フローにおけるステップＳ３、Ｓ８は省略され、ステップＳ５、Ｓ１０で参照するルックアップテーブルは、ＬＵＴ１〜ＬＵＴ３に代えて、冷却ファン１９の回転速度、あるいは冷却ファン１９の回転速度とバックライト９の明るさの両方をコンテンツ（番組、ＣＭ）のみで区分けしたルックアップテーブルを使用すればよい。
【００４６】
（３）  また、温度に依存しないで、番組の内容によって冷却ファン１９の回転速度、あるいは冷却ファン１９の回転速度とバックライト９の明るさの両方を調整することもできる。この場合図５の動作フローにおけるステップＳ４、Ｓ９は省略され、ステップＳ５、Ｓ１０で参照されるルックアップテーブルは、温度に関して１種類、例えば図４に示したルックアップテーブルＬＵＴ３を使用すればよい。
【００４７】
以上の実施の形態で挙げたルックアップテーブルは一例であって、適宜変更したものを使用することができることは言うまでもない。
また、上記実施の形態では音量検出を音量制御回路１１の音量検出手段で音量信号レベルを検出することにより行っているが、これに代えて、スピーカから出力される音量をマイクで検出する方法でも実施することができる。
また、上記実施の形態に限らず、本発明の要旨を変更しない範囲で、適宜変更して実施できることは言うまでもない。
【産業上の利用可能性】
【００４８】
本発明は、本来の視聴目的である番組にＣＭが挿入された放送電波を受信して再生する受信装置の静音化に広く利用できる。
【図面の簡単な説明】
【００４９】
【図１】本発明の実施の形態における、テレビ受像装置の構成図である。
【図２】本発明の実施の形態における、温度低域での冷却ファン回転とバックライトの明るさを参照するルックアップテーブルを示す図である。
【図３】本発明の実施の形態における、温度中域での冷却ファン回転とバックライトの明るさを参照するルックアップテーブルを示す図である。
【図４】本発明の実施の形態における、温度高域での冷却ファン回転とバックライトの明るさを参照するルックアップテーブルを示す図である。
【図５】本発明の実施の形態の動作を説明する制御フローチャートである。
【図６】従来技術による、温度低域の制御方法を示す図である。
【図７】従来技術による、温度中域、高域の制御方法を示す図である。
【符号の説明】
【００５０】
１・・・テレビ受像装置
２・・・アンテナ
３・・・チューナ
４・・・セレクタ
５・・・復調回路
６・・・映像処理回路
７・・・液晶表示装置
８・・・液晶部（ＬＣＤ）
９・・・バックライト（Ｂ／Ｌ）
１０・・・音声処理回路
１１・・・音量制御回路
１２・・・スピーカ
１３・・・マイコン（マイクロコントローラ）
１４・・・バックライト調節回路
１５・・・記憶手段
１６・・・温度検出手段
１７・・・リモコン（リモートコントローラ）
１８・・・ユーザ操作信号入力部
１９・・・冷却ファン
【図１】
2006311399.tif 000003
【図２】
2006311399.tif 000004
【図３】
2006311399.tif 000005
【図４】
2006311399.tif 000006
【図５】
2006311399.tif 000007
【図６】
2006311399.tif 000008
【図７】
2006311399.tif 000009